【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
通信装置であって、
前記通信装置の表示部に、外部端末のアプリケーションに通知するパラメータが符号化された二次元コードを表示する表示制御を行う表示制御手段を有し、
前記表示制御手段は、第１のアプリケーション用の第１のパラメータを符号化した第１の二次元コードに対応する第１の表示アイテムを表示する第１の表示制御と、前記第１のアプリケーションと異なる第２のアプリケーション用の第２のパラメータを符号化した第２の二次元コードに対応する第２の表示アイテムを表示する第２の表示制御とを行うことが可能に構成されていることを特徴とする通信装置。
【請求項２】
前記二次元コードの表示に関する設定を、ユーザから受け付ける受け付け手段を更に有し、
前記表示制御手段は、前記受け付け手段で受け付けた設定に基づき、前記第１の表示制御を行うか、前記第２の表示制御を行うかを異ならせることを特徴とする請求項１に記載の通信装置。
【請求項３】
前記受け付け手段が受け付けた設定を記憶する記憶手段を更に有し、
前記表示制御手段は、前記記憶手段に記憶されている前記設定に従って、前記表示制御を行うことを特徴とする請求項２に記載の通信装置。
【請求項４】
前記受け付け手段は、前記通信装置にログインしたユーザから設定を受け付け、
前記通信装置は、前記受け付け手段が受け付けた設定を、当該ログインしたユーザに対応付けて記憶する記憶手段を更に有し、
前記表示制御手段は、前記記憶手段に記憶されている、前記通信装置にログインしたユーザに対応する前記設定に従って、前記表示制御を行うことを特徴とする請求項２に記載の通信装置。
【請求項５】
前記表示制御手段は、複数のアプリケーションが解釈できる形式の第３のパラメータを符号化した第３の二次元コードに対応する第３の表示アイテムを表示する第３の表示制御を行うことが可能に構成されていることを特徴とする請求項１に記載の通信装置。
【請求項６】
前記表示制御手段は、
前記第１の表示アイテムを表示するための第１のキーと、前記第２の表示アイテムを表示するための第２のキーと、前記第３の表示アイテムを表示するための第３のキーを少なくとも含む画面を表示し、
当該画面を介していずれかのキーを選択するユーザ操作を受け付けたことに従って、前記表示制御手段は、当該選択されたキーに対応する表示アイテムを前記表示部に表示すべく、前記第１乃至第３の表示制御のいずれか１つの表示制御を行うことを特徴とする請求項５に記載の通信装置。
【請求項７】
前記第１のパラメータは、前記通信装置と前記第１のアプリケーションとの間で無線アクセスポイントを経由した無線通信を確立するための通信パラメータであることを特徴とする請求項１から６のいずれか１項に記載の通信装置。
【請求項８】
前記二次元コードはＱＲコード（登録商標）であることを特徴とする請求項１から７のいずれか１項に記載の通信装置。
【請求項９】
前記通信装置は、シートに印刷を行う印刷手段を更に有することを特徴とする請求項１乃至８のいずれか１項に記載の通信装置。
【請求項１０】
通信装置の制御方法であって、
前記通信装置の表示部に、外部端末のアプリケーションに通知するパラメータが符号化された二次元コードを表示する表示制御を行う表示制御工程を有し、
前記表示制御工程では、第１のアプリケーション用の第１のパラメータを符号化した第１の二次元コードに対応する第１の表示アイテムを表示する第１の表示制御と、前記第１のアプリケーションと異なる第２のアプリケーション用の第２のパラメータを符号化した第２の二次元コードに対応する第２の表示アイテムを表示する第２の表示制御とを行うことが可能であることを特徴とする通信装置の制御方法。
【請求項１１】
コンピュータを、請求項１から９のいずれか１項に記載の通信装置の各手段として機能させるためのプログラム。
【請求項１２】
通信装置であって、
前記通信装置に接続するための無線通信パラメータが符号化された二次元コードであって、かつ、携帯端末上で動作するアプリケーションによる読み取りが行われる二次元コードの表示に関する設定を、ユーザから受け付ける受け付け手段と、
前記通信装置の表示部に二次元コードを表示する表示制御を行う表示制御手段であって、前記受け付け手段により受け付けた設定に従って、第１のアプリケーションによる読み取りが可能な第１の二次元コードと、前記第１のアプリケーションと異なる第２のアプリケーションによる読み取りが可能な第２の二次元コードとの少なくとも１つを表示する前記表示制御手段と、
を備えることを特徴とする通信装置。
【手続補正２】
【補正対象書類名】明細書
【補正対象項目名】０００７
【補正方法】変更
【補正の内容】
【０００７】
本発明の一態様に係る通信装置は、前記通信装置の表示部に、外部端末のアプリケーションに通知するパラメータが符号化された二次元コードを表示する表示制御を行う表示制御手段を有し、  前記表示制御手段は、第１のアプリケーション用の第１のパラメータを符号化した第１の二次元コードに対応する第１の表示アイテムを表示する第１の表示制御と、前記第１のアプリケーションと異なる第２のアプリケーション用の第２のパラメータを符号化した第２の二次元コードに対応する第２の表示アイテムを表示する第２の表示制御とを行うことが可能に構成されていることを特徴とする。
【手続補正３】
【補正対象書類名】明細書
【補正対象項目名】００１２
【補正方法】変更
【補正の内容】
【００１２】
＜システム構成＞
図１は、本発明の実施形態に係る通信システムの構成例を示す図である。図１に示すように、通信システムは、通信装置１００と、携帯端末１０１，１０２とを含む。通信装置１００は、有線ネットワークであるＬＡＮ１０４に接続されており、当該ＬＡＮ１０４を介してアクセスポイント１０３と接続されている。アクセスポイント１０３は、ＩＥＥＥ８０２．１１ａ／ｂ／ｇ／ｎ／ａｃ等の無線ＬＡＮ規格に対応した無線アクセスポイントである。
【手続補正４】
【補正対象書類名】明細書
【補正対象項目名】００２５
【補正方法】変更
【補正の内容】
【００２５】
図３（Ｃ）は、共通ＱＲコードに符号化されるデータの例を示している。アプリ共通ＱＲコードには、標準アプリ用のＱＲコードに含まれるデータ（無線通信パラメータ）の少なくとも一部と、独自アプリ用のＱＲコードに含まれるデータ（無線通信パラメータ）の少なくとも一部とが含まれる。図３（Ｃ）の例では、ＳＳＩＤ、暗号化方式、パスフレーズ、及びＩＰアドレス（「WIFI11」、「WEP」、「abcdefgh」、及び「192.168.0.2」）が、共通ＱＲコードに含まれる。この例では、標準アプリ用のデータ（ＳＳＩＤ、暗号化方式、及びパスフレーズ）の後ろに独自アプリ用のデータ（ＩＰアドレス）を追加されている。
【手続補正５】
【補正対象書類名】明細書
【補正対象項目名】００３４
【補正方法】変更
【補正の内容】
【００３４】
通信装置１００が電源オフ状態から起動すると、ＣＰＵ２０１は、図６の手順による処理の実行を開始する。Ｓ１０１で、ＣＰＵ２０１は、ユーザからの、無線通信パラメータの表示指示を待ち受ける。ＣＰＵ２０１は、この表示指示を、例えば、操作部２１３を介してユーザから受け付ける。当該表示指示を受け付けると、ＣＰＵ２０１は、次にＳ１０２で、ＣＰＵ２０１は、ＨＤＤ２０４に格納されている、ＱＲコード（二次元コード）の表示設定を確認する。更に、ＣＰＵ２０１は、「標準アプリ用」、「独自アプリ用」、「アプリ共通ＱＲコード」及び「並べて表示」のいずれが選択されているかを判定する。